(57)【要約】【課題】障子における縦框の見込方向の厚みを小さくできる建具を提供すること。【解決手段】枠体５２と、枠体５２に配置される障子５３と、を備える建具であって、障子５３は、横通しの上框５１０、横通しの下框５２０、及び左右の縦框５３０を有する框体５００と、框体５００内に配置されるガラス５１ａと、を備え、縦框５３０は、断面視Ｌ字状のＬ字状部分６１２を有し、Ｌ字状部分６１２に配置され、ガラス５１ａの端部において、少なくとも、ガラスにおける見込方向に延びる端面５０１と屋内側の面５０２とに当接して配置されるバックアップ材６１ａと、を備える。【選択図】図６
2018059266.tif 000002
【特許請求の範囲】
【請求項１】
枠体と、
前記枠体に配置される障子と、を備える建具であって、
前記障子は、横通しの上框、横通しの下框、及び左右の縦框を有する框体と、前記框体に配置されるガラスと、を備え、
前記縦框は、断面視Ｌ字状のＬ字状部分を有し、
前記Ｌ字状部分に配置され、前記ガラスの端部において、少なくとも、前記ガラスにおける見込方向に延びる端面と屋内側の面とに当接して配置されるバックアップ材と、を備える建具。
【請求項２】
前記ガラスの屋外側の面に配置される被覆部材を更に備える請求項１に記載の建具。
【請求項３】
前記ガラスの端部における屋外側の面を押圧する押縁部材を更に備える請求項１又は２に記載の建具。
【請求項４】
前記押縁部材は、前記縦框よりも屋外側に配置され前記縦框の少なくとも一部を遮蔽する遮蔽部を有する請求項３に記載の建具。
【請求項５】
前記建具は、横方向に連続して複数の窓が配置された連窓のうちの少なくとも１つの窓を構成する請求項１から４のいずれかに記載の建具。
【請求項６】
枠体に配置される障子を備える建具の施工方法であって、
前記障子は、横通しの上框、横通しの下框、及び左右の縦框を有する框体と、前記框体に配置されるガラスと、を備え、
前記上框、前記下框及び左右の縦框は、長手方向に直交する方向に沿って切断されて形成されており、
前記上框及び前記下框は、それぞれ、前記ガラスの端部が配置されるガラス溝を有しており、
前記縦框は、前記ガラスの端部が配置されるガラス溝を有しており、
バックアップ材を前記縦框に取り付ける工程と、
屋外側から前記ガラスを縦ケンドン式で前記框体に嵌め込んで、前記バックアップ材の見付面と見込面とに前記ガラスを接触させる工程と、を備える建具の施工方法。
【請求項７】
前記ガラスの屋外側の面に被覆部材を接触させる工程を更に備える請求項６に記載の建具の施工方法。
【発明の詳細な説明】
【技術分野】
【０００１】
本発明は、枠体と、枠体内に配置される障子と、を備える建具に関する。
【背景技術】
【０００２】
従来、縦框の断面視Ｕ字状のガラス溝に、ガラスを収容して、ガラスを縦框に取り付ける建具が知られている（例えば、特許文献１参照）。特許文献１に記載の技術においては、縦框の断面視Ｕ字状のガラス溝にガラス収容して、スペーサ部材で端部を保持すると共に、ガラスの屋外側の面において乾式シール材でシールしている。
【先行技術文献】
【特許文献】
【０００３】
【特許文献１】特開２００４−２５１０２７号公報
【発明の概要】
【発明が解決しようとする課題】
【０００４】
特許文献１に記載の建具においては、縦框がガラス溝を収容するために断面視Ｕ字状に形成されており、ガラスが収容される縦框の見込方向の厚みが大きくなりがちであった。そのため、建具において、縦框の見込方向の厚みを小さくすることが望まれる。
【０００５】
本発明は、障子における縦框の見込方向の厚みを小さくできる建具を提供することを目的とする。
【課題を解決するための手段】
【０００６】
本発明は、枠体（例えば、後述の排煙枠体５２）と、前記枠体に配置される障子（例えば、後述の排煙障子５３）と、を備える建具（例えば、後述の排煙窓５１）であって、前記障子は、横通しの上框（例えば、後述の排煙上框５１０）、横通しの下框（例えば、後述の排煙下框５２０）、及び左右の縦框（例えば、後述の排煙縦框５３０）を有する框体（例えば、後述の排煙框体５００）と、前記框体内に配置されるガラス（例えば、後述の排煙ガラス５１ａ）と、を備え、前記縦框は、断面視Ｌ字状のＬ字状部分（例えば、後述の左縦框本体６１２）を有し、前記Ｌ字状部分に配置され、前記ガラスの端部において、少なくとも、前記ガラスにおける見込方向に延びる端面（例えば、後述の端面５０１）と屋内側の面（例えば、後述の屋内側の側面５０２）とに当接して配置されるバックアップ材（例えば、後述のＬ字状バックアップ材６１ａ）と、を備える建具に関する。
【０００７】
また、前記ガラスの屋外側の面に配置される被覆部材（例えば、後述の被覆部材６１ｅ、６１ｇ）を更に備えることが好ましい。
【０００８】
また、前記ガラスの端部における屋外側の面（例えば、後述の屋外側の側面５０３）を押圧する押縁部材（例えば、後述の押縁部材６１６）を更に備えることが好ましい。
【０００９】
また、前記押縁部材は、前記縦框よりも屋外側に配置され前記縦框の少なくとも一部を遮蔽する遮蔽部（例えば、後述の押縁遮蔽部６１６ｃ）を有することが好ましい。
【００１０】
また、前記建具は、横方向に連続して複数の窓が配置された連窓のうちの少なくとも１つの窓を構成することが好ましい。
【００１１】
また、本発明は、枠体に配置される障子を備える建具の施工方法であって、前記障子は、横通しの上框、横通しの下框、及び左右の縦框を有する框体と、前記框体に配置されるガラス（例えば、後述の排煙ガラス５１ａ）と、を備え、前記上框、前記下框及び左右の縦框は、長手方向に直交する方向に沿って切断されて形成されており、前記上框及び前記下框は、それぞれ、前記ガラスの端部が配置されるガラス溝（例えば、後述のガラス溝５１１ａ、５２１ａ）を有しており、前記縦框は、前記ガラスの端部が配置されるガラス溝を有しており、バックアップ材を前記縦框に取り付ける工程と、屋外側から前記ガラスを縦ケンドン式で前記框体に嵌め込んで、前記バックアップ材の見付面と見込面とに前記ガラスを接触させる工程と、を備える建具の施工方法に関する。
【００１２】
また、前記ガラスの屋外側の面に被覆部材を接触させる工程を更に備えることが好ましい。
【発明の効果】
【００１３】
本発明によれば、障子における縦框の見込方向の厚みを小さくできる建具を提供することができる。
【図面の簡単な説明】
【００１４】
【図１】本発明の一実施形態に係るサッシユニットを屋外側から見た姿図である。
【図２】排煙窓ユニット５の縦断面図であって、図１のＡ−Ａ線断面図である。
【図３】排煙窓ユニット５の縦断面図であって、図１のＢ−Ｂ線断面図である。
【図４】排煙窓ユニット５の縦断面図であって、連結部を取り付ける場合を示す図である。
【図５】排煙窓ユニット５の縦断面図であって、図１のＣ−Ｃ線断面図である。
【図６】排煙窓ユニット５の横断面図であって、図１のＤ−Ｄ線断面図である。
【図７】変形実施形態を示す図であって、押縁部材で排煙ガラスの端部を押圧する構成を示す図である。
【発明を実施するための形態】
【００１５】
以下、本発明の一実施形態について、図面を参照しながら説明する。なお、本明細書において、「見付方向」とは、建物に形成された開口部に納められたサッシユニット（枠ユニット）の横枠（上枠、無目、巾木部等）の長手方向（即ち、ガラスや障子の面内方向）を意味し、「見込方向」とは、屋内外方向（即ち、奥行き方向）を意味する。
【００１６】
図１は、本発明の一実施形態に係るサッシユニットを屋外側から見た姿図である。図１に示すように、サッシユニット１は、店舗等の建築物に用いられるものであり、建築物に形成された開口に取り付けられる枠体２を備える枠ユニットである。サッシユニット１は、本発明に係る排煙窓５１を含んで構成される。
【００１７】
枠体２は、図１に示すように、上枠２１と、巾木部２２と、左右両側の縦枠（図示省略）と、方立２３と、無目２４と、を備える。枠体２は、全体としては矩形に枠組みされている。枠体２の内側の空間は、方立２３によって見付方向に複数の開口部に区画されると共に、無目２４によって複数の開口部のそれぞれが上下方向に区画される。
【００１８】
サッシユニット１の屋外側から見て左側には、無目２４を境にして上段にＦＩＸ窓６１が納められ、下段にはＦＩＸ窓６２が納められるＦＩＸ窓ユニット６が２ユニット連続して配設される。
【００１９】
２ユニット連続して配設されたＦＩＸ窓ユニット６の右側には、無目２４を境にして上段に排煙窓５１（建具）が納められ、排煙窓５１の下側にあたる下段にはＦＩＸ窓５４が納められる排煙窓ユニット５が２ユニット連続して配設される。
【００２０】
本実施形態においては、排煙窓５１は、図１に示すように、横方向（見付方向の左右方向）に連続して複数の窓が配置された連窓のうちの少なくとも１つの窓を構成する。本実施形態においては、排煙窓５１は、横方向（見付方向における左右方向）に、２つ連続で配置されており、２つの排煙窓５１の横方向（左右方向）の両側の隣りには、ＦＩＸ窓５４が配置されている。また、排煙窓５１は、見付方向における上下方向の下段には、ＦＩＸ窓５４が配置されている。
なお、排煙窓ユニット５は、複数連続で設ける構成や単体で設ける構成等、事情に応じて適宜変更できる。
【００２１】
本実施形態の排煙窓５１は、排煙枠体５２（枠体）と、排煙枠体５２内に配置された排煙障子５３（障子）と、排煙枠体５２と排煙障子５３の下端部とを連結する連結部５６と、を備えて構成される。連結部５６は、排煙障子５３を排煙枠体５２に対して回動可能に、排煙枠体５２と排煙障子５３の下端部とを接続する。排煙枠体５２は、サッシユニット１の枠体２の一部を構成する上枠２１と、無目２４と、左右の縦枠としての左右の方立２３と、を備えて構成される。排煙枠体５２は、全体として、矩形に枠組みされて構成される。
本実施形態においては、排煙枠体５２を構成する上枠２１と、無目２４と、左右の方立２３は、長手方向に直交する方向に沿って切断されて形成されている。言い換えると、排煙枠体５２を構成する上枠２１と、無目２４と、左右の方立２３は、長手方向に延びる面と長手方向に直交する端面とが直角になるように切断された、いわゆる、ぶつ切り加工が施されている。
【００２２】
排煙窓５１において、排煙枠体５２内に配置される排煙障子５３は、下端部の回動軸Ｊ（図２及び図３参照）を中心に回動可能である。排煙障子５３は、後述する回動軸部（框側軸部としての円弧軸片５２４ｂ、枠側軸部としての軸受円弧状部２４３ｄ）を中心に、排煙枠体５２の内側に配置される閉位置と、排煙枠体５２の外側に配置される開位置と、の位置に回動可能に構成される。排煙窓５１は、排煙障子５３の下端部において回動軸Ｊを中心に回動して、排煙障子５３の上端部が屋外側に倒れるように構成されている。見付方向に並んだ２つの排煙窓５１は、排煙障子５３の上部と排煙枠体５２の上枠２１とを繋ぐワイヤ（図示省略）により重みが支えられている。ワイヤは、オペレータ（図示省略）に接続されている。２つの排煙窓５１は連動しており、オペレータによって一括して開放・閉鎖を行うことが可能である。
【００２３】
図２は、排煙窓ユニット５の縦断面図であって、図１のＡ−Ａ線断面図である。図３は、排煙窓ユニット５の縦断面図であって、図１のＢ−Ｂ線断面図である。図４は、排煙窓ユニット５の縦断面図であって、連結部５６を取り付ける場合を示す図である。図５は、排煙窓ユニット５の縦断面図であって、図１のＣ−Ｃ線断面図である。図２〜図５において、紙面左側が屋外側であり、右側が屋内側である。図６は、排煙窓ユニット５の横断面図であって、図１のＤ−Ｄ線断面図である。図６において、紙面上側が屋内側であり、下側が屋外側である。
【００２４】
図２に示すように、上枠２１は、屋内側に配置される上枠本体部２１１と、上枠本体部２１１から下方に延びる上枠延在片２１２と、上枠本体部２１１の屋外側に配置される上枠中間部２１３と、上枠中間部２１３から更に屋外側に延設される上枠延設部２１４と、を備える。
【００２５】
上枠本体部２１１は、中空部を備えるホロー構造である。
上枠延在片２１２は、上枠本体部２１１の屋外側の下端部から下方に延びる。上枠延在片２１２の下端部には、屋外側に開放する嵌合部２１２ａが形成される。嵌合部２１２ａには、排煙障子５３が閉鎖位置に位置する場合において、排煙障子５３の屋内側の上端部の側面を押圧する気密材２１ａが嵌合される。上枠延在片２１２の屋内側の側面には、係止機構５５が固定される。係止機構５５は排煙窓５１の排煙障子５３を閉鎖位置で固定するためのものである。
【００２６】
上枠中間部２１３は、中空部を備えるホロー構造である。上枠中間部２１３は、内側に形成されかつ上枠２１の長手方向に延びる溝部２１３ａを備える。溝部２１３ａは、上枠本体部２１１の内側上部の屋内側の角に配置される。溝部２１３ａは、見付方向の方立２３側から方立２３を連結するためのビス（図示省略）が差し込まれるネジ受けとなる。上枠中間部２１３は、その下面が上枠本体部２１１の下面よりも上方に配置される。
【００２７】
上枠延設部２１４は、中空部を備えるホロー構造である。上枠延設部２１４は、内側に形成されかつ上枠２１の長手方向に延びる溝部２１４ａと、外側に形成され下方に開放する嵌合部２１４ｂと、を備える。
【００２８】
溝部２１４ａは、上枠延設部２１４の内側における屋内側の上部に配置される。溝部２１４ａは、見付方向の方立２３側から方立２３を連結するためのビス（図示省略）が差し込まれるネジ受けとなる。上枠延設部２１４は、その下面が上枠中間部２１３の下面よりも下方に配置される。
【００２９】
嵌合部２１４ｂは、上枠延設部２１４の外側における屋外側の下部に配置される。嵌合部２１４ｂには、排煙障子５３が閉鎖位置に位置する場合において、排煙障子５３の屋外側の上端部を上方側から押圧する気密材２１ｂが嵌合される。
【００３０】
上枠本体部２１１の下部の屋外側、上枠延在片２１２の屋外側、上枠中間部２１３の下方、及び、上枠延設部２１４の下方の空間には、閉鎖位置にあるときの排煙障子５３の上部が収容される。
【００３１】
排煙障子５３は、図２に示すように、排煙框体５００と、排煙ガラス５１ａと、錠受け部材５４０と、を備える。排煙框体５００は、図１に示すように、排煙ガラス５１ａの上端を保持する排煙上框５１０と、排煙ガラス５１ａの下端を保持する排煙下框５２０と、排煙ガラス５１ａの左右の端部を保持する左右の排煙縦框５３０と、を備える。
本実施形態においては、排煙上框５１０、排煙下框５２０及び左右の排煙縦框５３０は、長手方向に直交する方向に沿って切断されて形成されている。言い換えると、排煙上框５１０、排煙下框５２０及び左右の排煙縦框５３０は、長手方向に延びる面と長手方向に直交する端面とが直角になるように切断された、いわゆる、ぶつ切り加工が施されている。
【００３２】
本実施形態においては、図１に示すように、左右の排煙縦框５３０を排煙上框５１０及び排煙下框５２０の間に配置することで、排煙上框５１０及び排煙下框５２０を、左右の排煙縦框５３０で支えている。排煙上框５１０及び排煙下框５２０の左右方向の外側の端部の位置は、左右の排煙縦框５３０の左右方向の外側の端部の位置と一致する。換言すると、排煙框体５００は、横方向に延びる排煙上框５１０及び排煙下框５２０の両端部において、排煙上框５１０と排煙下框５２０との間に左右の排煙縦框５３０が配置された「横通し」、いわゆる「横勝ち」の構造を有する。つまり、本実施形態においては、排煙上框５１０及び排煙下框５２０は、横通しとなっている。
【００３３】
本実施形態においては、排煙上框５１０及び排煙下框５２０を横通し、いわゆる「横勝ち」の構造とすることで、排煙ガラス５１ａの飲み込み溝であるガラス溝５１１ａ、５２１ａ（後述）を排煙上框５１０及び排煙下框５２０に設けて、排煙ガラス５１ａの上端部及び下端部をガラス溝５１１ａ、５２１ａに配置して、排煙ガラス５１ａの上端部及び下端部をガラス溝５１１ａ、５２１ａにより保持する構造としている。
【００３４】
排煙上框５１０は、図２に示すように、屋外側に配置されかつ下方側から上方側に窪むガラス溝５１１ａを有する排煙上框本体部５１１と、排煙上框本体部５１１から屋内側に延設される排煙上框延設部５１２と、を備える。排煙窓５１が閉鎖位置にあるときは、排煙上框本体部５１１及び排煙上框延設部５１２は、上枠中間部２１３の下方及び上枠延設部２１４の下方の空間に収容される状態となる。
【００３５】
排煙上框本体部５１１のガラス溝５１１ａは、排煙ガラス５１ａの上端部を保持する。
排煙上框延設部５１２は、中空部を備えるホロー構造である。排煙上框延設部５１２の屋内側の側面には、排煙窓５１が閉鎖位置にあるときに、上枠２１の嵌合部２１２ａに嵌合して配置された気密材２１ａが当接する。
【００３６】
錠受け部材５４０は、排煙上框延設部５１２の屋内側の下面に、ビス５４１により固定されている。錠受け部材５４０は、排煙上框延設部５１２から屋内側に延出するように形成される。錠受け部材５４０は、排煙窓５１が閉鎖位置にあるときに、係止機構５５の下部の係止部５５１に係止される。錠受け部材５４０を係止機構５５に係止するための機構としては、例えばラッチ機構を用いることができる。
【００３７】
排煙窓５１は、錠受け部材５４０を介してワイヤ（図示省略）に接続されており、錠受け部材５４０が係止機構５５に係止されることにより排煙窓５１が閉鎖位置で固定される。排煙窓５１を閉鎖位置から開放位置に移動させるときは、上述のオペレータ（図示省略）によって錠受け部材５４０と係止機構５５の係止を解除する。
【００３８】
排煙下框５２０は、図２及び図３に示すように、屋外側に配置されかつ上方側から下方側に窪むガラス溝５２１ａを有する排煙下框本体部５２１と、排煙下框本体部５２１から屋内側に延設される排煙下框延設部５２２と、排煙下框本体部５２１の屋外側の下部から下方に延出する下框屋外側部分５２３（屋外側部分）と、下框屋外側部分５２３の下端部から屋内側に延出して形成される回動軸構成片５２４と、下框屋外側部分５２３の下端部から下方に延出する遮蔽部としての下框遮蔽部５２５と、を備える。
【００３９】
排煙下框本体部５２１のガラス溝５２１ａは、排煙ガラス５１ａの下端部を保持する。
排煙下框延設部５２２は、中空部を備えるホロー構造である。排煙下框延設部５２２の屋内側の側面には、排煙窓５１が閉鎖位置にあるときには、後述する無目２４の嵌合部２４２ａに嵌合して配置された気密材２４ａが当接する。排煙下框延設部５２２の下部には、段部としての段差凹部５２２ａが設けられている。
【００４０】
段差凹部５２２ａは、図３に示すように、排煙下框５２０の排煙下框延設部５２２の下部の屋内側において、下方側から上方側に窪むように形成される。段差凹部５２２ａは、無目２４の無目本体部２４１の上面の上方に配置される。
【００４１】
段差凹部５２２ａは、図３に示すように、下段水平部５２２ｂと、傾斜部５２２ｃと、上段水平部５２２ｄと、を有する。下段水平部５２２ｂ、傾斜部５２２ｃ及び上段水平部５２２ｄは、屋外側から屋内側に向けてこの順に並んで配置されている。下段水平部５２２ｂは、排煙下框延設部５２２の底部を構成し、水平方向に延びる。傾斜部５２２ｃは、下段水平部５２２ｂの屋内側の端部に接続され、屋外側から屋内側に向かうにしたがって上方側に向かうように傾斜する。上段水平部５２２ｄは、傾斜部５２２ｃの屋内側の端部に接続され、下段水平部５２２ｂよりも上方の位置において水平方向に延びる。排煙下框５２０の下部に上方に窪む段差凹部５２２ａを設けることで、無目２４と排煙下框５２０との間において、排煙下框５２０の下方に位置する無目２４の無目本体部２４１の上面を流れる水の許容量を増加させることができる。
【００４２】
下框屋外側部分５２３は、図３に示すように、排煙下框本体部５２１の屋外側の端部の下部から下方に延出し、上下方向に延びる。下框屋外側部分５２３は、無目２４における軸受円弧状部２４３ｄ（後述）が配置される見付面２４ｂ（後述）よりも屋外側に配置される部分である。本実施形態においては、無目２４を排煙下框５２０の下框屋外側部分５２３よりも屋内側に配置している。これにより、排煙障子５３の回動軸部（框側軸部としての円弧軸片５２４ｂ、枠側軸部としての軸受円弧状部２４３ｄ）（後述）を設けるスペースを設けて、見付方向における上下の幅を小さくできる。
下框屋外側部分５２３の屋外側の面は、排煙下框本体部５２１の屋外側の面と同一平面上に位置する。
【００４３】
回動軸構成片５２４は、図３に示すように、Ｌ字状のＬ字状屈曲片５２４ａと、回動軸部を構成する框側軸部としての円弧軸片５２４ｂと、を有する。
Ｌ字状屈曲片５２４ａは、下框屋外側部分５２３の下端部に接続され、下框屋外側部分５２３の下端部から屋内側に所定長さ延び、屋内側の端部から下方に屈曲して、下方側に所定長さ延びる。
円弧軸片５２４ｂは、排煙下框５２０の屋外側に配置される。円弧軸片５２４ｂは、Ｌ字状屈曲片５２４ａの下端部から、屋内側が開放する半円弧状の略Ｃ字形状に形成される。円弧軸片５２４ｂは、略Ｃ字形状の円弧の内部の中空部分に設けられた回動軸Ｊを中心に回動可能である。円弧軸片５２４ｂは、排煙障子５３の回動中心であり、排煙障子５３は、回動軸Ｊを中心に回動する。
【００４４】
円弧軸片５２４ｂを含む回動軸構成片５２４の回動範囲には、回動軸構成片５２４が回動可能なように、空間が設けられている。図３に示すように、回動軸構成片５２４の先端側には、無目ガラス保持部２４３の軸受円弧状部２４３ｄ（後述）の上部の屋内側に、先端側回動空間５２６が形成されている。円弧軸片５２４ｂの基端部側には、無目ガラス保持部２４３の軸受円弧状部２４３ｄ（後述）の上部の屋外側に、基端側回動空間５２７が形成されている。
【００４５】
下框遮蔽部５２５は、回動軸構成片５２４の円弧軸片５２４ｂよりも屋外側において、下框屋外側部分５２３の下端部に接続され、下框屋外側部分５２３の下端部から、下方に所定長さ延びる。下框遮蔽部５２５は、上下方向において、排煙枠体５２の無目２４と重なる位置に配置される。言い換えると、下框遮蔽部５２５は、見込方向において、排煙枠体５２の無目２４と並んで配置される。下框遮蔽部５２５は、屋外側から見た場合に、円弧軸片５２４ｂが屋外側から視認できないように、円弧軸片５２４ｂを遮蔽する。下框遮蔽部５２５は、上下方向に延び、下框遮蔽部５２５の屋外側の面は、下框屋外側部分５２３及び排煙下框本体部５２１の屋外側の面と同一平面上に位置する。
【００４６】
排煙ガラス５１ａの上端部及び下端部の保持について説明する。図２に示すように、排煙ガラス５１ａは、ガラス溝５２１ａの内部に配置される支持部材５１ｂによって下から支持される。排煙ガラス５１ａの下端部は、ガラス溝５２１ａ内において、屋外側に配置されるバックアップ材５１ｃと屋内側に配置されるバックアップ材５１ｄとによって挟まれる。更に、バックアップ材５１ｃの上方には、シール材５１ｅが塗工される。バックアップ材５１ｄの上方には、シール材５１ｆが塗工される。
【００４７】
排煙ガラス５１ａの上端部は、ガラス溝５１１ａ内において、屋外側に配置されるバックアップ材５１ｇと屋内側に配置されるバックアップ材５１ｈとによって挟まれる。更に、バックアップ材５１ｇの下方には、シール材５１ｉが塗工される。バックアップ材５１ｈの下方には、シール材５１ｊが塗工される。
【００４８】
無目２４は、図２及び図３に示すように、屋内側に配置されかつ中空部を備えるホロー構造である無目本体部２４１と、無目本体部２４１の屋内側の端部の上部から上方に延びる無目延在片２４２と、無目本体部２４１の屋外側に形成される無目ガラス保持部２４３と、を備える。
【００４９】
無目本体部２４１は、内側に形成されかつ無目２４の長手方向に延びる溝部２４１ａ，２４１ｂを備える。溝部２４１ａは、無目本体部２４１の内側上部の屋内側の角に配置され、溝部２４１ｂは、無目本体部２４１の内側下部の屋内側の角に配置される。溝部２４１ａ，２４１ｂは、いずれも見付方向の方立２３側から方立２３を連結するためのビス（図示省略）が差し込まれるネジ受けとなる。
【００５０】
無目延在片２４２は、無目２４の屋内側の端部の上端部から上方に延びる。無目延在片２４２の上端部には、屋外側に開放する嵌合部２４２ａが形成される。嵌合部２４２ａには、排煙障子５３が閉鎖位置に位置する場合において、排煙障子５３の屋内側の下端部の側面を押圧する気密材２４ａが嵌合される。
【００５１】
無目ガラス保持部２４３は、無目本体部２４１の屋外側の上端から屋外側に延設される。無目延在片２４２と無目本体部２４１とによってＦＩＸ窓５４を構成するガラス５４ａの上端部を保持するガラス溝２４３ａが形成される。なお、ＦＩＸ窓５４を構成するガラス５４ａの下端部を保持する巾木部２２（図１参照）の構成の説明は省略する。
【００５２】
無目ガラス保持部２４３は、下方側及び屋内側が開放する略Ｌ字状に形成される。無目ガラス保持部２４３は、内側に形成されかつ無目２４の長手方向に延びる溝部２４３ｂが形成される。溝部２４３ｂは、無目ガラス保持部２４３の内側の下部に配置される。溝部２４３ｂは、見付方向の方立２３側から方立２３を連結するためのビス（図示省略）が差し込まれるネジ受けとなる。
【００５３】
無目ガラス保持部２４３は、図３に示すように、無目側Ｌ字状部２４３ｃと、回動軸部を構成する枠側軸部としての軸受円弧状部２４３ｄと、を有する。
無目側Ｌ字状部２４３ｃは、無目本体部２４１の屋外側の上端部から屋外側に所定長さ延び、屋外側の端部から下方に屈曲して、下方側に所定長さ延びる。無目側Ｌ字状部２４３ｃの上面には、係止溝２４３ｅが形成される。
軸受円弧状部２４３ｄは、無目２４の見付面２４ｂに配置される。軸受円弧状部２４３ｄは、無目側Ｌ字状部２４３ｃの下端部に形成され、上方側が開放する略半円弧状に形成される。軸受円弧状部２４３ｄには、連結部５６の突出軸部５６３（後述）が係合された円弧軸片５２４ｂが配置される。
【００５４】
連結部５６は、無目２４の軸受円弧状部２４３ｄに対して排煙障子５３の排煙下框５２０の円弧軸片５２４ｂを回動可能に、無目２４の軸受円弧状部２４３ｄと排煙障子５３の排煙下框５２０の円弧軸片５２４ｂとを連結する。連結部５６は、無目２４の長手方向に沿って延びて形成され、無目２４の長手方向に沿って、複数個並んで配置される。本実施形態においては、連結部５６は、図１に示すように、無目２４の長手方向に沿って、間隔を開けて、３つ並んで配置されている。なお、無目２４の長手方向の両端部において、連結部５６が設けられていない箇所には、端部キャップ（図示省略）が設けられている。
【００５５】
連結部５６、無目２４及び排煙下框５２０の構成は、無目２４の長手方向において、連結部５６が設けられている部分と、連結部５６が設けられていない部分と、において構成が異なる。
【００５６】
まず、連結部５６が設けられている部分の構成について説明する。図３に示すように、連結部５６が設けられている部分においては、連結部５６が配置され、前述の無目２４の軸受円弧状部２４３ｄ及び排煙下框５２０の回動軸構成片５２４が設けられている。
連結部５６は、連結側Ｌ字状部５６１と、係止部５６２と、突出軸部５６３と、を有する。連結側Ｌ字状部５６１は、水平連結部５６１ｂと、垂直連結部５６１ａと、を有する。水平連結部５６１ｂは、水平方向に延びる。垂直連結部５６１ａは、水平連結部５６１ｂの屋外側の端部から下方に延びる。
【００５７】
水平連結部５６１ｂは、無目２４の無目ガラス保持部２４３の無目側Ｌ字状部２４３ｃの上面に沿って配置される。垂直連結部５６１ａは、無目２４の無目ガラス保持部２４３の無目側Ｌ字状部２４３ｃの屋外側の側面に沿って配置される。連結部５６は、水平連結部５６１ｂが無目側Ｌ字状部２４３ｃの上面に沿うと共に、垂直連結部５６１ａが無目側Ｌ字状部２４３ｃの屋外側の側面に沿った状態で、ビス５７で固定されている。
【００５８】
突出軸部５６３は、連結側Ｌ字状部５６１の垂直連結部５６１ａの下端部において、屋外側の斜め下方に突出する。突出軸部５６３は、無目２４の長手方向に延びる略円柱状に形成される。突出軸部５６３は、排煙下框５２０の回動軸構成片５２４の円弧軸片５２４ｂに係合する。
【００５９】
排煙障子５３を回動させる回動軸部の構成は、本実施形態においては、連結部５６の突出軸部５６３と、排煙下框５２０の回動軸構成片５２４の円弧軸片５２４ｂと、無目２４の軸受円弧状部２４３ｄと、から構成される。排煙障子５３を回動させる回動軸部の構成は、連結部５６の突出軸部５６３に係合された排煙下框５２０の回動軸構成片５２４の円弧軸片５２４ｂが、無目２４の軸受円弧状部２４３ｄに支持されながら回動軸Ｊを中心に回動することで、排煙障子５３を無目２４に対して回動させることができる。
【００６０】
排煙障子５３を回動させる回動軸部の構成（連結部５６の突出軸部５６３、排煙下框５２０の回動軸構成片５２４の円弧軸片５２４ｂ、無目２４の軸受円弧状部２４３ｄ）は、排煙下框５２０の屋外側の端部側において、排煙下框５２０の最下端の近傍に設けられている。連結部５６の突出軸部５６３、排煙下框５２０の回動軸構成片５２４の円弧軸片５２４ｂ、及び無目２４の軸受円弧状部２４３ｄは、見込方向に並んで配置される。
これにより、排煙障子５３を回動させる回動軸部の構成を上下方向の広い範囲に配置せずに、排煙障子５３を上下方向においてコンパクトに形成できる。
【００６１】
また、下框遮蔽部５２５は、連結部５６の突出軸部５６３、排煙下框５２０の回動軸構成片５２４の円弧軸片５２４ｂ、及び無目２４の軸受円弧状部２４３ｄの屋外側に配置されている。排煙下框５２０の回動軸構成片５２４の円弧軸片５２４ｂは、見込方向において、無目２４と下框遮蔽部５２５との間に配置されている。
【００６２】
これにより、下框遮蔽部５２５により、連結部５６の突出軸部５６３、排煙下框５２０の回動軸構成片５２４の円弧軸片５２４ｂ及び無目２４の軸受円弧状部２４３ｄが遮蔽されるため、外観における意匠性を向上できる。また、円弧軸片５２４ｂを下框遮蔽部５２５により遮蔽するため、排煙下框５２０と無目２４との間の隙間を屋外側から視認しにくくなる。よって、排煙窓５１において、外観における意匠性を向上できる。
【００６３】
連結部５６を用いて無目２４と排煙障子５３とを接続する場合には、図４に示すように、まず、排煙障子５３の開位置において、連結部５６を配置する前に、無目２４の軸受円弧状部２４３ｄに、回動軸構成片５２４の円弧軸片５２４ｂを係止させる。具体的には、回動軸構成片５２４の円弧軸片５２４ｂを、無目２４の軸受円弧状部２４３ｄの屋内側において無目２４に形成される下面を向く屋内側係止部２４３ｆと、無目２４の軸受円弧状部２４３ｄの屋外側の先端に形成される屋外側係止部２４３ｇと、により、無目２４の軸受円弧状部２４３ｄに係止させる。この状態においては、無目２４の軸受円弧状部２４３ｄに回動軸構成片５２４の円弧軸片５２４ｂを係止させるだけで、連結部５６がない状態であっても、排煙下框５２０の円弧軸片５２４ｂを、円弧軸片５２４ｂにおける先端側の上面と基端側の下面から支持することができる。これにより、連結部５６がない状態でも、排煙下框５２０を無目２４に仮固定することができる。また、無目２４の軸受円弧状部２４３ｄは、排煙下框５２０の円弧軸片５２４ｂと遮蔽部５２５とに挟まれた位置に配置される。そのため、排煙下框５２０が無目２４から外れにくい状態で、排煙下框５２０を無目２４に仮固定することができる。
【００６４】
次に、排煙下框５２０を無目２４に仮固定した状態で、連結部５６を、排煙下框５２０と無目２４とに跨るように配置する。具体的には、連結部５６の突出軸部５６３を排煙下框５２０の回動軸構成片５２４の円弧軸片５２４ｂに係合させた状態で、無目２４の軸受円弧状部２４３ｄに収容して、連結部５６の突出軸部５６３を無目２４の係止溝２４３ｅに係止させる。言い換えると、連結部５６を用いて無目２４と排煙障子５３とを接続する場合には、排煙障子５３の開位置において、無目２４の軸受円弧状部２４３ｄに対して回動軸構成片５２４の円弧軸片５２４ｂを回動可能に、無目２４の軸受円弧状部２４３ｄと回動軸構成片５２４の円弧軸片５２４ｂとを連結部５６により連結する。
【００６５】
続けて、ドライバー１００を用いて、ビス５７により、上方から連結部５６と無目２４とをネジ固定する。この状態においては、無目２４の軸受円弧状部２４３ｄに回動軸構成片５２４の円弧軸片５２４ｂを係止させるだけで、排煙下框５２０の円弧軸片５２４ｂを先端側の上面と基端側の下面から支持しているため、作業者が排煙下框５２０を支える必要がなく、作業者は一人で連結部５６と無目２４とを固定できる。ここで、ビス５７の固定位置において、無目２４の下方には、ビス５７を受けるための裏板２４４が配置される。裏板２４４は、所定の長さのピース状に形成され、ビス５７でネジ固定する部分のみに配置される。裏板２４４は、排煙ガラス５１ａが排煙框体５００に嵌め込まれていない状態において、無目２４の形材の側方から一対の爪部２４３ｈ，２４３ｈの上方を通して差し込まれる。裏板２４４は、ビス５７の固定位置に設置された後は、一対の爪部２４３ｈ，２４３ｈにカシメ加工を施すことで固定される。
この状態で、ドライバー１００を用いて、連結部５６の上方からビス５７を、連結部５６、無目２４、裏板２４４の順にネジ込む。このようにして、上方から、ビス５７により、連結部５６と無目２４とをネジ固定する。
よって、連結部５６により、軸受円弧状部２４３ｄと框側軸部５２４ｂとを連結することで、排煙窓５１を排煙枠体５２に容易に取り付けることができるため、排煙窓５１の施工性を向上できる。
【００６６】
この場合に、排煙下框５２０の下部には、上方に窪む段差凹部５２２ａが形成される。排煙下框５２０の下部に段差凹部５２２ａが形成されているため、ドライバー１００の移動範囲において、排煙窓５１の施工時において、排煙下框５２０が、ドライバー１００の移動を妨げることがない。これにより、ドライバー１００を用いて、ビス５７により連結部５６を容易に固定して、排煙障子５３を、無目２４に容易に固定することができる。
【００６７】
また、段差凹部５２２ａが形成されているため、施工済みの排煙窓５１に対して、連結部５６を固定したビス５７を容易に取り外すこともできる。このように、施工済みの排煙窓５１において、段差凹部５２２ａにより、ビス５７の取り付け及び取り外しを容易に行えるため、排煙障子５３の交換を容易に行うことができる。
【００６８】
次に、連結部５６が設けられていない部分の構成について説明する。図１に示すように見付方向に並べられた３つの連結部５６の間には、図５に示すように、無目２４の軸受円弧状部２４３ｄも、排煙下框５２０の円弧軸片５２４ｂも、設けられていない。このように構成されることで、無目２４と排煙下框５２０との間には、連結部５６も、無目２４の軸受円弧状部２４３ｄも、排煙下框５２０の円弧軸片５２４ｂも、設けない空間を形成することができる。無目２４と排煙下框５２０との間に空間を形成することで、雨水などの浸入した水を排水するための流路を確保することができる。これにより、水を排出する排水性を向上することができる。また、無目２４と排煙下框５２０との間の空間に外気を導入できるため、内圧と外圧とを近づけることで、水が内部に吸い込まれることが抑制されて、より水密性を向上できる。
【００６９】
ＦＩＸ窓５４を構成するＦＩＸガラス５４ａの保持について説明する。ＦＩＸガラス５４ａは、図１に示すように、巾木部２２のガラス溝（図示省略）の内部に配置される支持部材（図示省略）によって下から支持される。ＦＩＸガラス５４ａの下端部は、ガラス溝内において、屋外側及び屋内側に配置されるバックアップ材（図示省略）に挟まれ、シール材（図示省略）が塗工される。
【００７０】
ＦＩＸガラス５４ａの上端部は、図２及び図３に示すように、無目２４のガラス溝２４３ａ内において、屋外側に配置されるバックアップ材５４ｂと屋内側に配置されるバックアップ材５４ｃとによって挟まれる。更に、バックアップ材５４ｂの下方には、シール材５４ｄが塗工される。バックアップ材５４ｃの下方には、シール材５４ｅが塗工される。
【００７１】
方立２３は、図６に示すように、屋外側から見て、左側に配置される第１方立部材２３１と、右側に配置される第２方立部材２３２と、を備える。
【００７２】
第１方立部材２３１は、屋内側に配置される第１方立本体部３１１と、第１方立本体部３１１から屋外側に延設される方立延在部３１２と、方立延在部３１２から屋外側に延設される第１方立屋外側部３１３と、を備える。
【００７３】
第１方立本体部３１１は、中空部を備えるホロー構造である。第１方立本体部３１１の右側（排煙障子５３が設けられる側）の側面には、第１方立戸当たり部３１５が固定される。
【００７４】
第１方立戸当たり部３１５は、断面視で、屋外側及び方立２３とは反対側が開放するＬ字状に形成される。第１方立戸当たり部３１５は、排煙障子５３が屋内側に倒れないように規制するように、排煙障子５３の屋内側において、第１方立本体部３１１から右側に延出するように形成されている。
【００７５】
第１方立戸当たり部３１５は、見込方向に延びる見込延在部３１６と、見込延在部３１６の見込方向の屋内側の端部から右側に延びる見付延在部３１７と、を備える。
見込延在部３１６は、第１方立本体部３１１の右側の側面に、ネジ部材３１８により、接続されている。
見付延在部３１７は、排煙障子５３の屋内側において、第１方立本体部３１１から右側に延びる。見付延在部３１７の右側の先端には、屋外側に開放する嵌合部３１７ａが形成されている。嵌合部３２４には、排煙障子５３が閉鎖位置に位置する場合において、排煙障子５３の屋内側の側面を押圧する気密材２３１ａが嵌合される。
【００７６】
方立延在部３１２は、第１方立本体部３１１の左側の端部から屋外側に直線状に延びる。方立延在部３１２の右側には、右側から左側に窪むガラス収容溝３１２ａが形成される。ガラス収容溝３１２ａは、方立２３に、ＦＩＸガラスを直接取り付ける場合に使用される。換言すると、方立２３は、ガラスを直接取り付ける場合と、障子を取り付ける場合との両方に使用できるように構成されている。本実施形態の排煙窓５１においては、ガラス収容溝３１２ａは使用されないため、ガラス収容溝３１２ａは、カバー部材３１４により閉止される。
【００７７】
第１方立屋外側部３１３は、方立延在部３１２の屋外側の端部から、屋外側に延びる。第１方立屋外側部３１３は、中空部を備えるホロー構造である。第１方立屋外側部３１３の右側の側面には、排煙障子５３が閉鎖位置に位置する場合において、左縦框６１１の嵌合部６１２ｃに嵌合して配置された気密材２３１ｂが当接する。
【００７８】
第１方立本体部３１１の右側の側面、カバー部材３１４の右側の側面及び第１方立屋外側部３１３の右側の側面は、見込方向に延びて形成され、同一平面上に位置する。
【００７９】
第２方立部材２３２は、第２方立本体部３２１と、第２方立本体部３２１の屋外側に延設される見付延在部３２２と、見付延在部３２２の屋外側に延設される第２方立屋外側部３２３と、を備える。また、第２方立部材２３２には、第２方立戸当たり部３２５が固定される。
【００８０】
第２方立部材２３２及び第２方立戸当たり部３２５は、第１方立部材２３１及び第２方立戸当たり部３２５と左右対称で同一の構成である。そのため、第２方立部材２３２及び第２方立戸当たり部３２５の説明は、第１方立部材２３１及び第１方立戸当たり部３１５に対応する符号を付けて、その説明を省略する。
【００８１】
第１方立部材２３１と第２方立部材２３２との間に配置される排煙障子５３について説明する。図６に示すように、排煙障子５３は、見付方向において、左右の排煙縦框５３０により、排煙ガラス５１ａの左右の両端部が保持される。
【００８２】
排煙縦框５３０は、図６に示すように、屋外側から見て、左側に配置される左縦框６１１と、右側に配置される右縦框６２１と、を備える。左縦框６１１及び右縦框６２１は、排煙ガラス５１ａの左右の端部を保持する。
【００８３】
左縦框６１１は、屋外側に配置されるＬ字状の左縦框本体６１２と、左縦框本体６１２の屋内側に設けられる第１中間部６１３と、第１中間部６１３の屋内側に設けられる第２中間部６１４と、第２中間部６１４の更に屋内側に設けられる屋内側端部６１５と、を有する。
【００８４】
左縦框本体６１２は、屋外側及び方立２３と反対側（右側）が開放するＬ字状のＬ字状部分を構成する。左縦框本体６１２の開放する側には、排煙ガラス５１ａの左右方向の端部が配置される。左縦框本体６１２の開放する側は、排煙ガラス５１ａの左右方向の端部が配置されるガラス溝を構成する。左縦框本体６１２は、見付延在部６１２ａと、見込延在部６１２ｂと、嵌合部６１２ｃと、を有する。見付延在部６１２ａ及び見込延在部６１２ｂは、連続して形成され、Ｌ字状に形成される。見付延在部６１２ａは、見付方向の水平方向に延びる。見込延在部６１２ｂは、見付延在部６１２ａの第１方立部材２３１側（排煙障子５３の外側）の端部から、屋外側に延びる。
【００８５】
嵌合部６１２ｃは、左縦框本体６１２の見込延在部６１２ｂの屋外側の端部において、排煙障子５３の左右方向の左側に開放する。嵌合部６１２ｃには、排煙障子５３が閉鎖位置に位置する場合において、排煙障子５３の左右方向の左側において、排煙障子５３の屋内側の端部を押圧する気密材２３１ｂが嵌合される。
【００８６】
左縦框本体６１２の見込延在部６１２ｂの右側の面には、係止突起ホルダ６１２ｄが形成される。係止突起ホルダ６１２ｄは、見込延在部６１２ｂの右側の面から右側に突出する。例えば、図７の変形実施形態に示すように、押縁部材６１６を用いて排煙ガラス５１ａの端部の屋外側の側面５０３を固定する際に、係止突起ホルダ６１２ｄは、押縁部材６１６を係止するホルダとなる。本実施形態においては、図６に示すように、被覆部材６１ｅが排煙ガラス５１ａの端部の屋外側の側面５０３に配置されるため、係止突起ホルダ６１２ｄは使用されない。なお、図７の変形実施形態における押縁部材６１６を用いる構成については後述する。
【００８７】
第１中間部６１３は、Ｌ字状の左縦框本体６１２の屋内側の面側に配置され、中空部を備えるホロー構造である。第１中間部６１３は、内側に形成されかつ排煙縦框５３０の長手方向に延びる溝部６１３ａを備える。溝部６１３ａは、第１中間部６１３の屋内側の左側の角に配置される。溝部６１３ａは、見付方向の排煙上框５１０側から排煙上框５１０を連結するためのビス（図示省略）、又は、見付方向の排煙下框５２０側から排煙下框５２０を連結するためのビス（図示省略）が差し込まれるネジ受けとなる。なお、本実施形態においては、排煙上框５１０及び排煙下框５２０が横通し（横勝ち）の構造であるため、排煙上框５１０の上方側からビスがねじ込まれ、排煙下框５２０の下方側からビスがねじ込まれる。
【００８８】
第２中間部６１４は、第１中間部６１３の屋内側の面側に配置され、中空部を備えるホロー構造である。
【００８９】
屋内側端部６１５は、第２中間部６１４の屋内側に配置され、方立２３側が開放する形状に形成される。屋内側端部６１５は、内側に形成されかつ排煙縦框５３０の長手方向に延びる溝部６１５ａを備える。溝部６１５ａは、屋内側端部６１５の屋外側に配置される。溝部６１５ａは、見付方向の排煙上框５１０側から排煙上框５１０を連結するためのビス（図示省略）、又は、見付方向の排煙下框５２０側から排煙下框５２０を連結するためのビス（図示省略）が差し込まれるネジ受けとなる。なお、本実施形態においては、排煙上框５１０及び排煙下框５２０が横通し（横勝ち）の構造であるため、排煙上框５１０の上方側からビスがねじ込まれ、排煙下框５２０の下方側からビスがねじ込まれる。
屋内側端部６１５の屋内側の面には、排煙障子５３が閉鎖位置に位置する場合において、方立２３の嵌合部３２４に嵌合して配置された気密材２３１ａが当接する。
【００９０】
右縦框６２１は、左縦框６１１と左右対称で同一の構成である。そのため、右縦框６２１の説明は、左縦框６１１に対応する符号を付けて、その説明を省略する。
【００９１】
排煙ガラス５１ａの左右方向の端部の保持について説明する。排煙ガラス５１ａは、図６に示すように、左右方向の左側の端部において、Ｌ字状の左縦框本体６１２の開放側に配置されたＬ字状バックアップ材６１ａにより、排煙ガラス５１ａの端面５０１及び屋内側の側面５０２が支持される。
【００９２】
Ｌ字状バックアップ材６１ａは、Ｌ字状に形成される。Ｌ字状バックアップ材６１ａは、見付延在バックアップ部６１ｂと、見込延在バックアップ部６１ｃと、を有する。
【００９３】
見付延在バックアップ部６１ｂは、見付方向の水平方向に延びる。見付延在バックアップ部６１ｂは、Ｌ字状の左縦框本体６１２の見付延在部６１２ａの屋外側を向く面に取り付けられる。見付延在バックアップ部６１ｂの屋外側の面は、排煙ガラス５１ａの端部の屋内側の側面５０２（屋内側の面）に当接する。
【００９４】
見込延在バックアップ部６１ｃは、見付延在バックアップ部６１ｂの第１方立部材２３１側（排煙障子５３の外側）の端部から、見込方向の屋外側に延びる。見込延在バックアップ部６１ｃは、Ｌ字状の左縦框本体６１２の見込延在部６１２ｂの排煙障子５３の内側（右側）を向く面に取り付けられる。見込延在バックアップ部６１ｃの排煙障子５３の内側（右側）の面は、排煙ガラス５１ａの端部の見込方向に延びる端面５０１に当接する。
【００９５】
排煙ガラス５１ａの左右方向の左側の端部は、端面５０１及び屋外側の側面５０２に配置されるＬ字状バックアップ材６１ａに当接して支持された状態で、屋内側に配置されるＬ字状バックアップ材６１ａと屋外側に塗工される被覆部材６１ｅとによって挟まれる。被覆部材６１ｅは、排煙ガラス５１ａの屋外側の側面５０３（屋外側の面）に配置される。更に、Ｌ字状バックアップ材６１ａにおける排煙ガラス５１ａの左右方向の内側には、シール材６１ｄが塗工される。ここで、排煙ガラス５１ａの端面５０１には、Ｌ字状バックアップ材６１ａが配置されているため、シール材が当接しない。そのため、シール材が当接することがないため、シール材の破損が低減され、排煙ガラス５１ａを排煙框体５００に施工する際の施工性が良好となる。
【００９６】
本実施形態においては、被覆部材６１ｅは、気密性及び水密性を有する材料により形成される。本実施形態においては、排煙ガラス５１ａは、上下方向において、上端部が排煙上框５１０のガラス溝５１１ａに飲み込まれて配置され、下端部が排煙下框５２０のガラス溝５２１ａに飲み込まれて配置されることで、保持されている。そのため、排煙ガラス５１ａの横方向（見付方向の左右方向）の端部を固定するのではなく、排煙ガラス５１ａの端部における気密性及び水密性を確保する。これにより、被覆部材６１ｅは、排煙ガラス５１ａの端部において、排煙ガラス５１ａの端部の端面５０１から排煙ガラス５１ａの内側の最低限の部分を覆うように配置される。これにより、排煙ガラス５１ａが屋外側に向けて露出する面積（開口する面積）を大きくすることができる。排煙ガラス５１ａを大きく見せることができるため、意匠性を向上できる。
【００９７】
排煙ガラス５１ａの左右方向の右側の端部の保持については、排煙ガラス５１ａの左右方向の左側の端部の保持の構成と、左右対称で同一の構成である。そのため、排煙ガラス５１ａの左右方向の右側の端部の保持の構成の説明は、排煙ガラス５１ａの左右方向の左側の端部の保持の構成に対応する符号を付けて、その説明を省略する。
【００９８】
以上のように構成される排煙窓５１の排煙障子５３において、排煙框体５００に排煙ガラス５１ａを取り付ける施工方法について説明する。
まず、Ｌ字状バックアップ材６１ａを、左縦框６１１の左縦框本体６１２の開放する側の面及び右縦框６２１の右縦框本体６２２の開放する側の面に取り付ける。
【００９９】
次に、排煙ガラス５１ａを、屋外側から、排煙框体５００内に、いわゆる縦ケンドン式にて嵌め込む。
【０１００】
具体的には、図２に示すように、排煙ガラス５１ａの上端部及び下端部を、飲み込み溝である排煙上框５１０のガラス溝５１１ａ及び排煙下框５２０のガラス溝５２１ａに挿入する。排煙上框５１０のガラス溝５１１ａ及び排煙下框５２０のガラス溝５２１ａは、排煙框体５００の内側に開放する略Ｕ字状に形成される。そのため、排煙ガラス５１ａを排煙框体５００内に嵌め込む場合には、屋外側から、排煙ガラス５１ａの上端部を排煙框体５００の内部側に傾けて、排煙ガラス５１ａを徐々に立てながら、上方側に持ち上げて、排煙ガラス５１ａの上端部を排煙上框５１０のガラス溝５１１ａに挿入する。排煙ガラス５１ａを、上方側に持ち上げて排煙ガラス５１ａの上端部を排煙上框５１０のガラス溝５１１ａに挿入した後に、下方側に下ろすことで、排煙ガラス５１ａの下端部を、排煙下框５２０のガラス溝５２１ａに挿入する。このようにして、排煙ガラス５１ａを、ガラス溝５２１ａの内部に配置される支持部材５１ｂの上部に配置する。
【０１０１】
同時に、図６に示すように、断面視Ｌ字状の左縦框本体６１２及び右縦框本体６２２に配置されたＬ字状バックアップ材６１ａの見込面に、排煙ガラス５１ａの左右方向の端部における端面５０１を接触させると共に、Ｌ字状バックアップ材６１ａの見付面に、屋内側の側面５０２を接触させるように、排煙ガラス５１ａを見込方向に移動させて、排煙ガラス５１ａを配置する。
その後、排煙ガラス５１ａの左右方向の両端部における屋外側の側面５０３に被覆部材６１ｅ，６２ｅを塗工する（接触させる）。更に、Ｌ字状バックアップ材６１ａにおける排煙ガラス５１ａの左右方向の内側に、シール材６１ｄ，６２ｄを塗工する。
【０１０２】
ここで、排煙ガラス５１ａの左右方向の両端部が配置される排煙縦框５３０において、左縦框本体６１２及び右縦框本体６２２は、図６に示すように、断面視Ｌ字状に形成される。左縦框本体６１２及び右縦框本体６２２は、方立２３と反対側（方立２３の内側）及び屋外側が開放するＬ字状に形成される。左縦框本体６１２及び右縦框本体６２２における方立２３と反対側（方立２３の内側）及び屋外側が開放して形成されるため、排煙ガラス５１ａを左右方向に移動させずに、上下方向に移動する（いわゆる、ケンドン式で移動する）と共に、見込方向に移動するだけで、排煙ガラス５１ａを排煙框体５００内に容易に取り付けることができる。
【０１０３】
また、排煙ガラス５１ａを破損などにより交換する場合に、被覆部材６１ｅを取り除いて、排煙ガラス５１ａを見込方向の屋外側に移動させることで、左縦框６１１から排煙ガラス５１ａを取り外すことができる。そのため、例えば略Ｕ字状のガラス溝の縦框を用いるよりも、メンテナンスを容易に行うことができる。
【０１０４】
また、左縦框本体６１２は、断面視Ｌ字状に形成されるため、略Ｕ字状のガラス溝を形成した場合において必要とされるガラスを取り付けるための取り付けしろなどを見付方向に設けなくてよいため、例えば略Ｕ字状のガラス溝を有する縦框を用いる場合よりも、見付方向の幅を小さくすることができる。これにより、外観における意匠性を向上できる。
【０１０５】
以上説明してきたように、本実施形態によれば、以下の効果が奏される。
本実施形態の排煙窓５１においては、排煙障子５３は、横通しの排煙上框５１０、横通しの排煙下框５２０、及び左右の排煙縦框５３０を有する排煙框体５００と、排煙框体５００内に配置される排煙ガラス５１ａと、を備え、排煙縦框５３０は、断面視Ｌ字状の左縦框本体６１２を有し、左縦框本体６１２に配置され、排煙ガラス５１ａの端部において、少なくとも、排煙ガラス５１ａにおける見込方向に延びる端面５０１と屋内側の面５０２とに当接して配置されるバックアップ材６１ａと、を備える。
【０１０６】
そのため、左縦框本体６１２は、Ｌ字状に形成されるため、略Ｕ字状のガラス溝を形成した場合において必要とされる見付方向のガラスを取り付けるための取り付けしろなどを設けなくてよいため、排煙縦框５３０の見付方向の幅を小さくすることができる。これにより、排煙縦框５３０の見付方向の幅を小さくできる。これにより、屋外側から見た場合の外観における意匠性を向上できる。
【０１０７】
また、左縦框本体６１２が方立２３と反対側及び屋外側が開放した断面視Ｌ字状に形成されるため、排煙ガラス５０ａを左右方向に移動させずに、見込方向に移動させて、排煙ガラス５１ａを排煙框体５００内に容易に取り付けることができる。
【０１０８】
また、排煙ガラス５１ａを破損などにより交換する場合に、被覆部材６１ｅを取り除いて、排煙ガラス５１ａを見込方向の屋外側に移動させることで、左縦框６１１から排煙ガラス５１ａを取り外すことができる。そのため、例えば略Ｕ字状のガラス溝の縦框を用いるよりも、メンテナンスを容易に行うことができる。
【０１０９】
また、左縦框本体６１２は、断面視Ｌ字状に形成されるため、略Ｕ字状のガラス溝を形成した場合において必要とされるガラスを取り付けるための取り付けしろなどを見付方向に設けなくてよいため、例えば略Ｕ字状のガラス溝を有する縦框を用いる場合よりも、見付方向の幅を小さくすることができる。これにより、外観における意匠性を向上できる。
【０１１０】
また、排煙ガラス５１ａの端面５０１には、Ｌ字状バックアップ材６１ａが配置されているため、シール材が当接しない。そのため、排煙ガラス５１ａの端面５０１にシール材が当接しないため、シール材の破損が低減され、排煙ガラス５１ａを排煙框体５００に施工する際の施工性が良好となる。
【０１１１】
また、本実施形態の排煙窓５１は、排煙ガラス５１ａの端部において、屋外側の面に配置される被覆部材６１ｅを備える。そのため、排煙ガラス５１ａの端部において、気密性及び水密性を確保する。被覆部材６１ｅは、排煙ガラス５１ａの両端部において、排煙ガラス５１ａの端部の端面５０２から排煙ガラス５１ａの内側の最低限の部分を覆うように配置される。これにより、排煙ガラス５１ａが屋外側に向けて露出する面積（開口する面積）を大きくすることができる。排煙ガラス５１ａを大きく見せることができるため、意匠性を向上できる。
【０１１２】
また、本実施形態の排煙窓５１は、横方向（見付方向の左右方向）に連続して複数の窓が配置された連窓のうちの少なくとも１つの窓を構成する。これにより、排煙窓５１がＦＩＸ窓に並んで配置された場合に、排煙縦框５３０の見込方向の厚さを小さくできると共に見付方向の幅を小さくできるため、例えば、図１のように、排煙窓５１がＦＩＸ窓６１の隣りに並んで配置された場合に、見付方向の幅が小さく形成されたＦＩＸ窓と比べても、排煙縦框５３０の見付方向の幅を小さくできるため、外観における意匠性を向上できる。
【０１１３】
以上、本発明の排煙窓５１の好ましい一実施形態について説明したが、本発明は、上述の実施形態に制限されるものではなく、適宜変更が可能である。
【０１１４】
前記実施形態では、図６に示すように、排煙ガラス５１ａの端部において、屋外側の側面５０３には、被覆部材６１ｅのみを配置したが、これに限定されない。例えば、図７に示すように、押縁部材６１６及び被覆部材６１ｇを配置してもよい。図７は、変形実施形態を示す図であって、押縁部材６１６で排煙ガラス５１ａの端部を押圧する構成を示す図である。なお、図７の説明では、上記実施形態と同様の構成については同じ符号を付してその説明を省略することがある。
【０１１５】
押縁部材６１６で排煙ガラス５１ａの端部を押圧する構成について説明する。図７に示すように、排煙ガラス５１ａの左右方向の左側の端部の端面５０１及び屋内側の側面５０２がＬ字状バックアップ材６１ａに支持された状態で、排煙ガラス５１ａの左右方向の左側の端部は、屋内側に配置されるＬ字状バックアップ材６１ａと屋外側に配置されるバックアップ材６１ｆとによって挟まれる。Ｌ字状バックアップ材６１ａは、排煙ガラス５１ａの左右方向の端部における見込方向の端面５０１及び屋内側の側面５０２に当接する。屋外側に配置されるバックアップ材６１ｆは、排煙ガラス５１ａの屋外側の側面５０３に当接する。バックアップ材６１ｆの屋外側には、押縁部材６１６が配置される。
【０１１６】
押縁部材６１６は、バックアップ材６１ｆを介して、排煙ガラス５１ａの端部における屋外側の側面５０３を押圧する。バックアップ材６１ｆにおける排煙ガラス５１ａの左右方向の内側（右側）には、被覆部材６１ｇが塗工される。被覆部材６１ｇは、排煙ガラス５１ａの屋外側の側面５０３（屋外側の面）に配置される。
【０１１７】
押縁部材６１６は、左縦框６１１の長手方向に沿って延びる。押縁部材６１６は、押縁部材本体６１６ａと、押縁係止片６１６ｂと、押縁遮蔽部６１６ｃと、押縁側取付接触部６１６ｄと、を有する。
【０１１８】
押縁部材本体６１６ａは、方形筒状に形成される。押縁係止片６１６ｂは、押縁部材６１６を排煙ガラス５１ａの端部に取り付ける際に、左縦框６１１の係止突起ホルダ６１２ｄに係止される。
【０１１９】
押縁側取付接触部６１６ｄは、押縁部材本体６１６ａにおける排煙ガラス５１ａの左右方向の外側に形成され、外側に向く面により構成される。押縁側取付接触部６１６ｄは、押縁部材６１６が排煙ガラス５１ａの端部に取り付けられた状態において、左縦框６１１の嵌合部６１２ｃにおける排煙ガラス５１ａの左右方向の内側を向く面により構成される框側取付接触部６１２ｅに接触する。押縁側取付接触部６１６ｄと框側取付接触部６１２ｅとが接触する部分を、いわゆる、メタルタッチ部分ともいう。
【０１２０】
押縁遮蔽部６１６ｃは、左縦框６１１よりも屋外側に配置される。押縁遮蔽部６１６ｃは、押縁部材本体６１６ａの見付方向の方立２３側（左側）の端部から、見付方向の方立２３側（左側）に延びる。押縁遮蔽部６１６ｃは、押縁部材６１６を排煙ガラス５１ａの端部に取り付けた場合に、左縦框６１１の屋外側の端部を遮蔽するように、見付方向に延びる。
【０１２１】
押縁遮蔽部６１６ｃよりも屋内側には、押縁側取付接触部６１６ｄと框側取付接触部６１２ｅとが接触するメタルタッチ部分が配置される。押縁側取付接触部６１６ｄと框側取付接触部６１２ｅとが接触するメタルタッチ部分からは、一般的に、水が浸入しやすい。これに対して、本発明においては、押縁遮蔽部６１６ｃが押縁側取付接触部６１６ｄと框側取付接触部６１２ｅとが接触するメタルタッチ部分の屋外側に配置されるため、水密性を向上できる。
【０１２２】
ここで、排煙ガラス５１ａの上下方向の上端部及び下端部のみをガラス溝で支持すると共に左右方向の両端部において固定しない場合には、排煙ガラス５１ａの厚さを厚くしないと、排煙ガラス５１ａの強度を確保できない場合があった。
【０１２３】
これに対して、本発明の押縁部材６１６においては、排煙ガラス５１ａを排煙框体５００に取り付ける際に、排煙ガラス５１ａの上下方向の上端部及び下端部をガラス溝５１１ａ、５２１ａ（図２参照）で支持すると共に、図７に示すように、押縁部材６１６で排煙ガラス５１ａの端部の屋外側の面を押圧して固定する。そのため、排煙ガラス５１ａの厚さを薄くしても、排煙ガラス５１ａの左右方向の両端部においても、強固に固定することができる。これにより、排煙ガラス５１ａを、より強固に固定することができる。
【０１２４】
また、押縁部材６１６で排煙ガラス５１ａの端部を固定した場合に、押縁遮蔽部６１６ｃにより左縦框６１１の屋外側の端部が遮蔽される。これにより、左縦框６１１の屋外側の端部が外部に露出されないため、屋外側から見た場合の外観における意匠性を向上できる。
【０１２５】
前記実施形態では、サッシユニット１において、上下に２つの窓（排煙窓５１、ＦＩＸ窓５４）を２段に連続して配置した場合について説明したが、これに限定されない。例えば、上下に窓を連続して配置しなくてもよく、１段の排煙窓で構成してもよい。また、複数の窓を上下に複数の窓を３段以上連続して配置してもよい。
１段の排煙窓５１で構成した場合には、前記実施形態の中段に配置される無目を、下段枠の下枠に置き換えることで、回動軸部を、１段の窓における排煙枠体５２の下枠に、見込方向に重なるように配置するように構成することができる。
【０１２６】
前記実施形態では、排煙下框５２０と排煙枠体５２との間に、連結部５６、排煙下框５２０及び排煙枠体５２を設けない空間を形成したが、連結部５６、排煙下框５２０及び排煙枠体５２を設けない空間は、製造時に予め形成してもよいし、製造時には排煙下框５２０及び排煙枠体５２を設けておいて、追加の加工により、排煙下框５２０及び排煙枠体５２を切り欠き加工して形成してもよい。
【０１２７】
前記実施形態におけるシール材としては、湿式のシール材又は乾式のシール材のいずれを用いてもよい。
【０１２８】
前記実施形態では、Ｌ字状バックアップ材６１ａを、見付延在バックアップ部６１ｂ及び見込延在バックアップ部６１ｃにより一体的に形成したが、これに限定されない。Ｌ字状バックアップ材６１ａを分割して形成してもよい。Ｌ字状バックアップ材６１ａは、排煙ガラス５１ａの端部において、少なくとも、排煙ガラス５１ａにおける見込方向に延びる端面５０１と屋内側の側面５０２とに当接して配置されていればよい。
【０１２９】
また、前記実施形態では、排煙下框５２０に、排煙障子５３の回動軸部（円弧軸片５２４ｂ）を設けたが、これに限定されない。例えば、排煙上框５１０に、排煙障子５３の回動軸部（円弧軸片５２４ｂ）を設けてもよい。
【０１３０】
また、前記実施形態では、排煙枠体５２を構成する上枠２１と、無目２４と、左右の方立２３は、長手方向に延びる面と長手方向に直交する端面とが直角になるように切断された、いわゆる、ぶつ切り加工が施されている。また、排煙上框５１０、排煙下框５２０及び左右の排煙縦框５３０は、長手方向に直交する方向に沿って切断されて形成されて、長手方向に延びる面と長手方向に直交する端面とが直角になるように切断された、いわゆる、ぶつ切り加工が施されている。このぶつ切り加工が施された枠や框を使用した上で、工夫を行うことにより、排煙窓の見付け方向の大きさを小さく形成している。しかし、枠及び框は、ぶつ切り加工に限定されない。例えば、方立にぶつ切り以外の加工、例えば、段加工を行うことで、見付方向の大きさを小さくでき、見付方向において小さい排煙窓とすることができる。
【０１３１】
また、前記実施形態では、排煙障子５３を回動させて開閉する排煙窓５１を例に説明したが、これに限定されない。排煙障子５３を回動させない一般的な建具にも適用できる。
【符号の説明】
【０１３２】
５１…排煙窓（建具）
５１ａ…排煙ガラス（ガラス）
５２…排煙枠体（枠体）
５３…排煙障子（障子）
６１ａ…Ｌ字状バックアップ材（バックアップ材）
６１ｅ、６１ｇ…被覆部材
５００…排煙框体（框体）
５０１…端面
５０２…屋内側の側面（屋内側の面）
５０３…屋外側の側面（屋外側の面）
５１０…排煙上框（上框）
５１１ａ…ガラス溝
５２１ａ…ガラス溝
５２０…排煙下框（下框）
５３０…排煙縦框（縦框）
６１２…左縦框本体（Ｌ字状部分）
６１６…押縁部材
６１６ｃ…押縁遮蔽部（遮蔽部）
【図１】
2018059266.tif 000003
【図２】
2018059266.tif 000004
【図３】
2018059266.tif 000005
【図４】
2018059266.tif 000006
【図５】
2018059266.tif 000007
【図６】
2018059266.tif 000008
【図７】
2018059266.tif 000009